(57)【特許請求の範囲】
【請求項１】
対象データを出力する画像出力部と、
操作を受け付ける操作部と、
ユーザの生体情報を取得する生体情報取得部と、
制御部と、を備え、
前記制御部は、
前記操作部を介して出力指示する要求ユーザが、ユーザと当該ユーザを特定する特定情報とが関連づけられている登録ユーザであるか否かを判断する判断処理を実行し、
前記判断処理の判断結果が、前記要求ユーザが前記登録ユーザでないことを示す場合、前記対象データに前記生体情報取得部により取得された前記要求ユーザの前記生体情報を関連づけて前記画像出力部から出力する第１出力処理を実行することを特徴とする画像出力装置。
【請求項２】
前記制御部は、
第１出力処理において、
前記対象データに前記生体情報を合成して出力することを特徴とする請求項１に記載の画像出力装置。
【請求項３】
前記制御部は、
前記判断処理の判断結果が、前記要求ユーザが前記登録ユーザであることを示す場合、前記対象データを前記画像出力部から出力する第２出力処理を実行することを特徴とする請求項１または請求項２に記載の画像出力装置。
【請求項４】
前記制御部は、
前記判断処理の判断結果が、前記要求ユーザが前記登録ユーザであることを示す場合、前記対象データに前記特定情報を合成して前記画像出力部から出力する第３出力処理を実行することを特徴とする請求項１または請求項２に記載の画像出力装置。
【請求項５】
画像を読み取るスキャナ手段、記憶媒体あるいは電子機器と通信可能な通信手段、またはＦＡＸ手段の少なくとも何れか１つを備え、
前記画像出力部として、シートに画像を形成する画像形成手段、前記通信手段、メモリに記憶する記憶手段、または前記ＦＡＸ手段の少なくとも何れか１つを備え、
前記対象データとは、前記スキャナ手段により読み取ったデータ、前記通信手段により受信したデータ、または前記ＦＡＸ手段により受信したデータの何れかであり、
前記画像出力部からの出力とは、前記画像形成手段による画像形成、前記通信手段による送信、前記記憶手段による記憶、または前記ＦＡＸ手段による送信の何れかであることを特徴とする請求項１乃至請求項４の何れかに記載の画像出力装置。
【請求項６】
前記制御部は、
前記要求ユーザのログイン要求に応じて、前記判断処理を実行し、
前記要求ユーザが前記登録ユーザであると判断することに応じて、前記要求ユーザをログイン状態とすることを特徴とする請求項１乃至請求項５の何れかに記載の画像出力装置。
【請求項７】
前記判断処理の判断結果が、前記要求ユーザが前記登録ユーザでないことを示す場合とは、
前記要求ユーザが前記ログイン状態でない場合であることを特徴とする請求項６に記載の画像出力装置。
【請求項８】
前記特定情報は生体情報を含み、
前記制御部は、
前記判断処理において、
前記生体情報取得部により取得された前記要求ユーザの前記生体情報と前記特定情報である前記生体情報とが一致した場合、前記要求ユーザが前記登録ユーザであると判断することを特徴とする請求項１乃至請求項７の何れかに記載の画像出力装置。
【請求項９】
前記生体情報取得部は前記要求ユーザの顔を撮影するカメラであり、
前記生体情報は顔画像情報である
ことを特徴とする請求項８に記載の画像出力装置。
【請求項１０】
前記特定情報は前記登録ユーザに予め付与された識別情報を含み、
前記制御部は、
前記判断処理において、
前記要求ユーザにより入力された認証情報と前記識別情報とが一致した場合、前記要求ユーザが前記登録ユーザであると判断する
ことを特徴とする請求項１乃至請求項９の何れかに記載の画像出力装置。
【請求項１１】
前記認証情報は前記操作部を介して前記要求ユーザにより入力された情報であることを特徴とする請求項１０に記載の画像出力装置。
【請求項１２】
前記認証情報を受け付ける受付部を備え、
前記認証情報は前記要求ユーザが所有する情報デバイスの有するデバイス情報であることを特徴とする請求項１０に記載の画像出力装置。
【請求項１３】
前記特定情報は、生体情報および前記登録ユーザに予め付与された識別情報を含み、
前記制御部は、
前記対象データに前記生体情報または前記識別情報を合成するか否かを前記要求ユーザに選択させる第１選択処理と、
前記第１選択処理により合成することが選択された場合に、前記生体情報または前記識別情報の何れを合成するかを前記要求ユーザに選択される第２選択処理と、を実行することを特徴とする請求項４に記載の画像出力装置。
【請求項１４】
前記制御部は、
前記判断処理の判断結果が、前記要求ユーザが前記登録ユーザでないことを示す場合、
前記第１出力処理に先立ち、前記要求ユーザに前記第１出力処理の承諾を求める承諾確認処理を実行し、
前記承諾確認処理において、前記要求ユーザが承諾しないことに応じて、前記要求ユーザに前記ログイン要求をするように促す登録督促処理を実行することを特徴とする請求項６に記載の画像出力装置。
【請求項１５】
前記特定情報を記憶する第１記憶手段を備えることを特徴とする請求項１乃至請求項１４の何れかに記載の画像出力装置。
【請求項１６】
前記制御部は、
前記第１出力処理において、
前記対象データを出力するとともに、
前記対象データまたは出力履歴に前記生体情報を関連付けて、前記特定情報を管理する管理者に通知する通知処理を実行することを特徴とする請求項１に記載の画像出力装置。
【請求項１７】
画像データを記憶する第２記憶手段を備え、
前記制御部は、
前記第１出力処理において、
前記対象データを出力するとともに、
前記対象データまたは出力履歴に前記生体情報を関連付けて、前記第２記憶手段に記憶する記憶処理を実行することを特徴とする請求項１または請求項１６に記載の画像出力装置。
【発明の詳細な説明】
【技術分野】
【０００１】
本発明は、出力された画像データのトレーサビリティを担保する技術に関する。
【背景技術】
【０００２】
従来より、出力された画像データのトレーサビリティを担保する方法が提案されている。特許文献１には、文書を印刷しようとするユーザに印刷権限があるか認証処理装置によって判断し、認証処理装置によって認証できてユーザに印刷権限がある場合、当該ユーザの顔写真等の生体情報を印刷データに付与して文書を出力する印刷システムが記載されている。
【先行技術文献】
【特許文献】
【０００３】
【特許文献１】特開２００８−１３４８１８号公報
【発明の概要】
【発明が解決しようとする課題】
【０００４】
特許文献１によれば、認証処理装置に認証されない場合には印刷が禁止される。このため、認証処理装置に登録されており印刷権限を有しているユーザであったとしても、例えば認証作業が何らかの原因で上手く進まず認証処理装置に認証されない間は、画像データを出力することができず、不便である。
【０００５】
本願は、上記の課題に鑑み提案されたものであって、画像データを出力する際の利便性を向上するとともに、出力された画像データのトレーサビリティを担保することができる画像出力装置を提供することを目的とする。
【課題を解決するための手段】
【０００６】
（１）本発明に係る画像出力装置は、対象データを出力する画像出力部と、操作を受け付ける操作部と、ユーザの生体情報を取得する生体情報取得部と、制御部と、を備え、制御部は、操作部を介して出力指示する要求ユーザが、ユーザと当該ユーザを特定する特定情報とが関連づけられている登録ユーザであるか否かを判断する判断処理を実行し、判断処理の判断結果が、要求ユーザが登録ユーザでないことを示す場合、対象データに生体情報取得部により取得された要求ユーザの生体情報を関連づけて画像出力部から出力する第１出力処理を実行することを特徴とする。
【０００７】
これにより、要求ユーザが登録ユーザである場合には、特定情報により要求ユーザを特定することができる。一方、要求ユーザが登録ユーザでない場合には、対象データに要求ユーザの生体情報を関連づけて出力することにより、要求ユーザを特定することができる。出力された対象データのトレーサビリティを担保することができる。また、要求ユーザが登録ユーザであるにも係わらず、例えば不具合などにより、判断処理において、制御部が要求ユーザは登録ユーザでないと判断した場合であっても、登録ユーザは対象データを取り出すことができるため、利便性を高めることができる。生体情報は、例えば、顔画像、声紋、指紋、静脈、光彩、網膜などとすると良い。
【０００８】
（２）制御部は、第１出力処理において、対象データに生体情報を合成して出力することを特徴とする。これにより、登録ユーザではない要求ユーザが出力したデータには要求ユーザを特定する生体情報が合成されるため、出力したデータに基づいて出力した要求ユーザを特定することができる。登録ユーザではない要求ユーザは、自身を特定する生体情報が合成されているデータを流布することが憚られるため、例えば、対象データが機密情報を含む場合など、機密情報が不用意に拡散されることが抑制される。
【０００９】
（３）制御部は、判断処理の判断結果が、要求ユーザが登録ユーザであることを示す場合、対象データを画像出力部から出力する第２出力処理、を実行することを特徴とする。これにより、登録ユーザは生体情報が合成されていない対象データを得る事ができるため、生体情報が合成されることへの不快感が軽減される。
【００１０】
（４）制御部は、判断処理の判断結果が、要求ユーザが登録ユーザであることを示す場合、対象データに特定情報を合成して画像出力部から出力する第３出力処理を実行することを特徴とする。これにより、出力したデータに基づいて出力した要求ユーザを特定することができる。登録ユーザは特定情報が合成された対象データを得る事ができるため、対象データに自身が出力したデータであることを明示することができる。登録ユーザは生体情報取得部が取得した生体情報ではなく、予め確認している特定情報を合成することができる。
【００１１】
（５）画像を読み取るスキャナ手段、記憶媒体あるいは電子機器と通信可能な通信手段、またはＦＡＸ手段の少なくとも何れか１つを備え、画像出力部として、シートに画像を形成する画像形成手段、通信手段、メモリに記憶する記憶手段、またはＦＡＸ手段の少なくとも何れか１つを備え、対象データとは、スキャナ手段により読み取ったデータ、通信手段により受信したデータ、またはＦＡＸ手段により受信したデータの何れかであり、画像出力部からの出力とは、画像形成手段による画像形成、通信手段による送信、記憶手段による記憶、またはＦＡＸ手段による送信の何れかであることを特徴とする。画像出力部は画像形成手段、通信手段、記憶手段、ＦＡＸ手段の何れかで実現すると良い。
【００１２】
（６）制御部は、要求ユーザのログイン要求に応じて、判断処理を実行し、要求ユーザが登録ユーザであると判断することに応じて、要求ユーザをログイン状態とすることを特徴とする。これにより、登録ユーザである要求ユーザはログイン要求により画像出力装置にログインすることができる。
【００１３】
（７）判断処理の判断結果が、要求ユーザが登録ユーザでないことを示す場合とは、要求ユーザがログイン状態でない場合であることを特徴とする。制御部はログイン状態であるか否かを判断処理の判断結果とすることができる。
【００１４】
（８）特定情報は生体情報を含み、制御部は、判断処理において、生体情報取得部により取得された要求ユーザの生体情報と特定情報である生体情報とが一致した場合、要求ユーザが登録ユーザであると判断することを特徴とする。これにより、登録ユーザは生体取得部に生体情報を取得されるだけで対象データを得ることができる。
【００１５】
（９）生体情報取得部は要求ユーザの顔を撮影するカメラであり、生体情報は顔画像情報であることを特徴とする。これにより、登録ユーザはカメラに撮影されるだけで対象データを得ることができる。登録ユーザではない要求ユーザは、自身の顔画像が合成されているデータを流布することが憚られるため、データが不用意に拡散されることが抑制される。出力したデータに合成された顔画像により、出力した要求ユーザを容易に特定することができる。
【００１６】
（１０）特定情報は登録ユーザに予め付与された識別情報を含み、制御部は、判断処理において、要求ユーザにより入力された認証情報と識別情報とが一致した場合、要求ユーザが登録ユーザであると判断することを特徴とする。これにより、制御部は生体情報でない識別情報に基づいて判断処理を実行することができる。
【００１７】
（１１）認証情報は操作部を介して要求ユーザにより入力された情報であることを特徴とする。これにより、登録ユーザは操作部を介して情報を入力して対象データを得ることができる。認証情報は、例えばパスワードなどとすると良い。
【００１８】
（１２）認証情報を受け付ける受付部を備え、認証情報は要求ユーザが所有する情報デバイスの有するデバイス情報であることを特徴とする。これにより、登録ユーザは受付部にデバイス情報を受け付けさせて対象データを得ることができる。情報デバイスは、例えばＩＣカード、電子タグ、携帯端末などとすると良く、デバイス情報は、例えばユーザ名、ＩＤ番号などとすると良い。
【００１９】
（１３）特定情報は、生体情報および登録ユーザに予め付与された識別情報を含み、制御部は、対象データに生体情報または識別情報を合成するか否かを要求ユーザに選択させる第１選択処理と、第１選択処理により合成することが選択された場合に、生体情報または識別情報の何れを合成するかを要求ユーザに選択される第２選択処理と、を実行することを特徴とする。これにより、登録ユーザは対象データに生体情報または識別情報を合成するか否かを選択し、生体情報または識別情報の何れを合成するかを選択することができる。
【００２０】
（１４）制御部は、判断処理の判断結果が、要求ユーザが登録ユーザでないことを示す場合、第１出力処理に先立ち、要求ユーザに第１出力処理の承諾を求める承諾確認処理を実行し、承諾確認処理において、要求ユーザが承諾しないことに応じて、要求ユーザにログイン要求をするように促す登録督促処理を実行することを特徴とする。要求ユーザは、登録督促処理により、自身が登録ユーザでないと画像出力装置に判断されていることを認識することができる。登録ユーザである要求ユーザは、第１出力処理を承諾することもでき、ログイン要求することもできる。
【００２１】
（１５）特定情報を記憶する第１記憶手段を備えることを特徴とする。これにより、制御部は第１記憶手段に記憶されている特定情報を参照して判断処理を実行することができる。
【００２２】
（１６）制御部は、第１出力処理において、対象データを出力するとともに、対象データまたは出力履歴に生体情報を関連付けて、特定情報を管理する管理者に通知する通知処理を実行することを特徴とする。これにより、登録ユーザでない要求ユーザは生体情報が合成されていない対象データを得ることができる。また、管理者は登録ユーザでない要求ユーザにより対象データの出力が実行されたことを認知し、出力を実行した要求ユーザを特定することができる。出力履歴は、例えば、印刷ジョブ、出力日時などとすると良い。
【００２３】
（１７）画像データを記憶する第２記憶手段を備え、制御部は、第１出力処理において、対象データを出力するとともに、対象データまたは出力履歴に生体情報を関連付けて、第２記憶手段に記憶する記憶処理を実行することを特徴とする。これにより、登録ユーザでない要求ユーザは生体情報が合成されていない対象データを得ることができる。また、第２記憶手段に記憶された情報に基づいて、例えば、特定情報を管理する管理者は出力を実行した要求ユーザを特定することができる。
【発明の効果】
【００２４】
本願に係る画像出力装置によれば、画像データを出力する際の利便性を向上するとともに、出力された画像データのトレーサビリティを担保することができる画像出力装置を提供することができる。
【図面の簡単な説明】
【００２５】
【図１】複合機の電気的構成の一部を示すブロック図である。
【図２】第１実施形態に係るログイン処理の処理内容を示すフローチャートである。
【図３】第１実施形態に係るＣｏｐｙ処理の処理内容を示すフローチャートである。
【図４】印刷されたシートを説明する図である。
【図５】第２実施形態に係るＣｏｐｙ処理の処理内容を示すフローチャートである。
【図６】第３実施形態に係るＣｏｐｙ処理の処理内容を示すフローチャートである。
【図７】第４実施形態に係るＣｏｐｙ処理の処理内容を示すフローチャートである。
【図８】第５実施形態に係るＣｏｐｙ処理の処理内容を示すフローチャートである。
【発明を実施するための形態】
【００２６】
＜複合機の構成＞
複合機１は、シートに画像形成を行う印刷機能、コピー機能、スキャナ機能、ＦＡＸ機能を備える複合機である。図１に示す様に、複合機１は、制御部９０、画像形成部１２、画像読取部１４、ＦＡＸ通信部１５、ネットワークＩ／Ｆ１６、ＵＳＢＩ／Ｆ１７、操作表示部１８、カメラ１９、および受付部２０を備えている。制御部９０は、ＣＰＵ９１、ＲＡＭ９２、ＲＯＭ９３、ＮＶＲＡＭ（不揮発性メモリ）９４を有する。ＲＯＭ９３には、後述するログイン処理などの処理を実行するためのプログラムが記憶されており、ＣＰＵ９１は、ＲＯＭ９３から読み出したプログラムに従って、その処理結果をＲＡＭ９２に記憶させながらバス９６で接続されている各部の制御を行う。ＮＶＲＡＭ９４にはユーザデータベース（以下、ユーザＤＢと記載する）９５が記憶されている。
【００２７】
ユーザＤＢ９５には、登録ユーザに関する生体情報および識別情報が記憶されている。生体情報とは、例えば、顔画像である。識別情報とは、例えば、ユーザ名、ユーザＩＤ、メールアドレス、電話番号などである。また、ユーザＩＤとは、例えばシリアル番号である。尚、例えば、複合機１を管理する管理者により、生体情報および識別情報がユーザＤＢ９５に記憶される。
【００２８】
画像形成部１２は、例えば印刷ジョブに従って、例えば電子写真方式によりシートにカラーまたはモノクロの画像を印刷する。画像読取部１４は、複合機１が備える不図示の原稿台に載置された原稿の画像を読み取って読取データを生成する。
【００２９】
ＦＡＸ通信部１５は、接続している不図示の電話回線を介して、他のＦＡＸ通信機器との間でＦＡＸデータの送受を行う。ネットワークＩ／Ｆ１６は、例えば無線ＬＡＮ通信を行い、無線ＬＡＮに接続されている不図示のＰＣおよびサーバと通信を行う。ＵＳＢＩ／Ｆ１７はＵＳＢ規格のインターフェースである。ＵＳＢＩ／Ｆ１７に接続されたＵＳＢ対応の記憶媒体に対して、ＵＳＢ規格に沿ったデータの読み出しおよび書き込みを行う。ＵＳＢ対応の記憶媒体とは、例えば、ＵＳＢフラッシュメモリ、ＵＳＢ対応のＨＤＤなどである。
【００３０】
操作表示部１８は、例えばタッチパネルおよび電源ボタンなどの操作ボタンなどを備え、各種の設定画面や装置の動作状態等を表示する。また、ユーザは操作表示部１８により、各種の指示を入力することができる。
【００３１】
カメラ１９は例えば操作表示部１８を操作するユーザの顔を撮影可能に位置に配置されており、ユーザの顔を撮影する。制御部９０は撮影された顔画像データを取得する。受付部２０はＩＣカードに記憶されている例えばユーザ名およびユーザＩＤなどの認証情報を取得する。制御部９０は受付部２０が取得した認証情報を取得する。
【００３２】
印刷機能とは、例えば、ネットワークＩ／Ｆ１６を介して例えばＰＣから送信された印刷ジョブ、ＵＳＢＩ／Ｆ１７を介して記憶媒体から読み出した記録データ、およびＦＡＸ通信部１５を介して受信したＦＡＸ受信データなどを、画像形成部１２によりシートに印刷する機能である。コピー機能とは、例えば、画像読取部１４により生成された読取データを画像形成部１２によりシートに印刷する機能である。スキャン機能とは、例えば、画像読取部１４により生成された読取データを、ネットワークＩ／Ｆ１６を介して例えばＰＣへの送信する、あるいは、ＵＳＢＩ／Ｆ１７を介しての記憶媒体への書込みする機能である。ＦＡＸ機能とは、ＦＡＸ通信部１５を介して受信したＦＡＸ受信データを画像形成部１２によりシートに印刷する、ネットワークＩ／Ｆ１６を介して例えばＰＣへ送信する、ＵＳＢＩ／Ｆ１７を介して記憶媒体へ書き込む機能、および、例えば、画像読取部１４により生成された読取データ、ネットワークＩ／Ｆ１６を介して例えばＰＣから送信された送信データ、ＵＳＢＩ／Ｆ１７を介して記憶媒体から読み出した記録データを、ＦＡＸ通信部１５を介して送信する、あるいは、ネットワークＩ／Ｆ１６により、ネットワークを介して送信する機能である。
【００３３】
＜ログイン処理＞
図２を用いて、第１実施形態に係るログイン処理について説明する。
制御部９０は電源がオンされると、所定時間毎にＲＯＭ９３に記憶されているプログラムを実行する。まず、制御部９０は所定時間毎に認証情報を受け付けたか否かを判断する（Ｓ３）。ユーザは複合機１にログインしたい場合、例えば、受付部２０に所有するＩＣカードを近づけて、ＩＣカードの情報を読み取らせる。制御部９０は認証情報を受け付けていないと判断することに応じて（Ｓ３：ＮＯ）、認証情報を受け付けるまでステップＳ３を繰り返し実行する。認証情報を受け付けたと判断することに応じて（Ｓ３：ＹＥＳ）、認証情報をユーザＤＢ９５と照合し、認証情報がユーザＤＢ９５に記憶されている情報と一致するか否かを判断する（Ｓ５）。認証情報がユーザＤＢ９５に記憶されている情報と一致しないと判断することに応じて（Ｓ５：ＮＯ）、操作表示部１８にログインできない旨のメッセージを表示する（Ｓ１７）。一方、認証情報がユーザＤＢ９５に記憶されている情報と一致すると判断することに応じて（Ｓ５：ＹＥＳ）、ユーザは登録ユーザであると判断されるため、ユーザをログイン状態に設定する（Ｓ７）。次に、制御部９０は所定時間毎にログアウト要求を受け付けたか否かを判断する（Ｓ１１）。ログアウト要求を受け付けていないと判断することに応じて（Ｓ１１：ＮＯ）、ログアウト要求を受け付けるまでステップＳ１１を繰り返し実行する。一方、ログアウト要求を受け付けたと判断することに応じて（Ｓ１１：ＹＥＳ）、受け付けたユーザに対して、ログアウト状態を設定する（Ｓ１３）。次に、電源がオフされたか否かを判断する（Ｓ１５）。電源がオフされたと判断することに応じて（Ｓ１５：ＹＥＳ）、処理を終了し、電源がオフされていないと判断することに応じて（Ｓ１５：ＮＯ）、ステップＳ３へ戻る。
【００３４】
＜第１実施形態のＣｏｐｙ処理＞
次に、図３を用いてＣｏｐｙ処理について説明する。
制御部９０は所定時間毎にＣｏｐｙ実行要求を受け付けたか否かを判断する（Ｓ２３）。Ｃｏｐｙ実行要求を受け付けていないと判断することに応じて（Ｓ２３：ＮＯ）、Ｃｏｐｙ実行要求を受け付けるまで、ステップＳ２３を繰り返し実行する。Ｃｏｐｙ実行要求を受け付けたと判断することに応じて（Ｓ２３：ＹＥＳ）、要求したユーザはログイン状態であるか否かを判断する（Ｓ２５）。要求したユーザはログイン状態であると判断することに応じて（Ｓ２５：ＹＥＳ）、ユーザは登録ユーザであるため、画像読取部１４に載置された原稿を読み取らせ、出力画像データを形成する（Ｓ２７）。次に、画像形成部１２に出力画像データに基づき画像形成させる（Ｓ２９）。次に、複合機１の電源がオフされたか否かを判断し（Ｓ３１）、電源がオフされたと判断することに応じて（Ｓ３１：ＹＥＳ）、処理を終了する。一方、複合機１の電源がオフされていない判断することに応じて（Ｓ３１）、次のＣｏｐｙ要求を受け付けるため、ステップＳ２３へ戻る。
【００３５】
一方、要求したユーザはログイン状態でないと判断することに応じて（Ｓ２５：ＮＯ）、ユーザは登録ユーザではないと判断し、カメラ１９にユーザの顔を撮影させ、生成した顔画像データを形成し（Ｓ３３）、例えば、ＮＶＲＡＭ９４に記憶する。次に、画像読取部１４に載置された画像を読み取らせ、出力画像データを形成する（Ｓ３５）。次に、出力画像データに顔画像データを合成する（Ｓ３７）。次に、ステップＳ２９へ進み、合成した出力画像データを画像形成部１２に印刷させる。
【００３６】
ステップＳ３７における顔画像データの合成方法を図４に示す。制御部９０は、ページ画像１００〜１０３のうち予め設定されている１つの合成方法に従って印刷を指示する。ページ画像１００は、顔画像１０４が出力画像データの配置領域外に配置されている。ページ画像１０１は、顔画像１０５を半透明にして、出力画像データと重ねて配置されている。ページ画像１０２では、出力画像データを縮小し、出力画像データの配置領域外に顔画像１０６を配置する。ページ画像１０３では、顔画像１０７を出力画像データの配置領域外に配置するとともに、例えば領域１０８に「第三者への配布禁止」などの注意喚起するメッセージを配置されている。これにより、ログイン状態でないユーザは、出力画像データに自身の顔画像データが合成されて印刷される。
【００３７】
次に、Ｓｃａｎ処理について説明する。制御部９０はＣｏｐｙ処理と同様にＳｃａｎ処理を実行する。制御部９０は所定時間毎にＳｃａｎ実行要求を受け付けたか否かを判断し、Ｓｃａｎ実行要求を受け付けたと判断することに応じて、要求したユーザはログイン状態であるか否かを判断し、要求したユーザはログイン状態であると判断することに応じて、画像読取部１４に載置された原稿を読み取らせ、出力画像データを形成する。次に、出力画像データをユーザの指示に応じて、ネットワークＩ／Ｆ１６を介して例えばＰＣへの送信する、あるいは、ＵＳＢＩ／Ｆ１７を介しての記憶媒体への書込みする。一方、要求したユーザはログイン状態でないと判断することに応じて、カメラ１９にユーザの顔を撮影させ、生成した顔画像データを形成する。次に、画像読取部１４に載置された画像を読み取らせ、出力画像データを形成する。次に、出力画像データに顔画像データを合成し、合成した出力画像データを上記したように、ネットワークＩ／Ｆ１６を介して送信する、あるいはＵＳＢＩ／Ｆ１７を介して記憶媒体へ書込みする。
【００３８】
次に、Ｆａｘ処理について説明する。制御部９０はＣｏｐｙ処理と同様にＦａｘ処理を実行する。制御部９０は所定時間毎にＦａｘ実行要求を受け付けたか否かを判断し、Ｆａｘ実行要求を受け付けたと判断することに応じて、要求したユーザはログイン状態であるか否かを判断し、要求したユーザはログイン状態であると判断することに応じて、画像読取部１４に載置された原稿を読み取らせ、出力画像データを形成する。次に、出力画像データをユーザの指示に応じて、ＦＡＸ通信部１５を介して送信する。一方、要求したユーザはログイン状態でないと判断することに応じて、カメラ１９にユーザの顔を撮影させ、生成した顔画像データを形成する。次に、画像読取部１４に載置された画像を読み取らせ、出力画像データを形成する。次に、出力画像データに顔画像データを合成し、合成した出力画像データを、ＦＡＸ通信部１５を介して送信する。
【００３９】
ここで、画像形成部１２、ＦＡＸ通信部１５、ネットワークＩ／Ｆ１６、ＵＳＢＩ／Ｆ１７は画像出力部の一例であり、操作表示部１８は操作部の一例であり、カメラ１９は生体情報取得部の一例であり、ＮＶＲＡＭ９４は第１記憶手段の一例である。読取データ、印刷ジョブ、記録データ、ＦＡＸ受信データは対象データの一例である。ステップＳ５、Ｓ２５は判断処理の一例であり、ステップＳ２５でＮＯと判断したことに応じて実行するステップＳ３７、Ｓ２９は第１出力処理の一例であり、ステップＳ２５でＹＥＳと判断したことに応じて実行するステップＳ２９は第２出力処理の一例である。
【００４０】
以上、上記した第１実施形態によれば、以下の効果を奏する。
Ｃｏｐｙ指示するユーザが登録ユーザである場合には、ユーザＤＢ９５によりユーザを特定することができる。一方、Ｃｏｐｙ指示するユーザが登録ユーザでない場合には、出力画像データにユーザの顔画像データを合成して出力することにより、ユーザを特定することができる。出力された出力画像データのトレーサビリティを担保することができる。登録ユーザでないユーザであっても印刷することができ、利便性を確保することができる。
登録ユーザではないユーザは、自身を特定する顔画像データが合成されているデータを流布することが憚られるため、例えば、出力画像データが機密情報を含む場合など、機密情報が不用意に拡散されることが抑制される。一方、登録ユーザは顔画像データが合成されていない出力画像データを得る事ができるため、顔画像データが合成されることへの不快感が軽減される。また、制御部９０はＮＶＲＡＭ９４に記憶されている顔画像データでない識別情報に基づいてステップＳ５を実行することができる。
【００４１】
＜ログイン処理の変形例＞
次に、ログイン処理の変形例について説明する。
上記ではＩＣカードによる処理について説明したが、認証情報をパスワードとする場合について説明する。ログインしたいユーザは操作表示部１８を介して、自身の例えばユーザ名およびパスワードを入力する。ステップＳ５において、制御部９０はステップＳ５において、ユーザにより入力されたユーザ名とパスワードを、ユーザＤＢ９５のユーザ名とパスワードと照合し、一致した場合、ユーザをログイン状態とする。次に、認証情報を顔画像とする場合について説明する。制御部９０は、例えば、操作表示部１８のメニュー画面に「ログイン」のメニューを表示する。ログインしたいユーザは操作表示部１８に表示された「ログイン」を選択する。制御部９０は「ログイン」が選択されたことに応じて、カメラ１９にユーザの顔を撮影させる。ステップＳ５において、制御部９０はカメラ１９が撮影したユーザの顔画像データをユーザＤＢ９５の顔画像データを照合し、一致した場合、ユーザをログイン状態とする。尚、ログイン処理にパスワードを用いる場合には、ユーザがパスワードを忘れてログインできないおそれがある。このように、登録ユーザであるにもかかわらず、ログインできない場合においても、Ｃｏｐｙ処理においては、出力画像データを印刷することができる。
【００４２】
＜第２実施形態のＣｏｐｙ処理＞
次に第２実施形態に係るＣｏｐｙ処理について説明する。以降、第１実施形態と同じステップには同じ符号を付し、詳細な説明は適宜省略する。
【００４３】
制御部９０は第１実施形態と同様にステップＳ２１、Ｓ２３、Ｓ２５、Ｓ３３、Ｓ３５を実行する。次に、顔画像データと出力画像データまたは出力履歴を関連づけて管理者に、例えばメールにより通知する（Ｓ３９）。次に、顔画像データと出力画像データまたは出力履歴を関連づけたデータをＮＶＲＡＭ９４に記憶する（Ｓ４１）。ここで、出力履歴とは、例えば、印刷ジョブ、出力日時などである。次にＳ２９へ進む。ステップＳ２５でＮＯと判断した場合以降のステップは第１実施形態と同様であるため、説明を省略する。
【００４４】
ここで、ＮＶＲＡＭ９４は第２記憶手段の一例である。
【００４５】
以上、上記した第２実施形態によれば、以下の効果を奏する。
登録ユーザでないＣｏｐｙ指示するユーザは顔画像データが合成されていない出力画像データを得ることができる。また、管理者は登録ユーザでないユーザにより出力画像データの出力が実行されたことを認知し、出力を実行したユーザを特定することができる。また、ＮＶＲＡＭ９４に記憶された情報に基づいて、管理者は出力を実行したユーザを特定することができる。
【００４６】
＜第２実施形態の変形例＞
第２実施形態では、ステップＳ３９、Ｓ４１を実行すると説明したが、ステップＳ３９、Ｓ４１の何れか一方を実行する構成としても良い。ステップＳ３９、Ｓ４１の何れか一方を実行する構成とすれば、管理者は、通知された情報、もしくは、保存された情報に基づいて、登録ユーザでない出力したユーザを特定することができる。また、ステップＳ４１において、ＮＶＲＡＭ９４に記憶すると説明したが、ＵＳＢＩ／Ｆ１７に接続される記憶媒体、あるいは、ネットワークＩ／Ｆ１６により接続される、例えばサーバなどに保存する構成としても良い。
【００４７】
＜第３実施形態のＣｏｐｙ処理＞
次に、図６を用いて、第３実施形態に係るＣｏｐｙ処理について説明する。
制御部９０はステップＳ２３、Ｓ２５を第１実施形態と同様に実行する。要求したユーザはログイン状態でないと判断することに応じて（Ｓ２５：ＮＯ）、ユーザは登録ユーザではないため、顔画像データを合成して印刷する前に、操作表示部１８に例えば「合成していいですか？」と「はい」「いいえ」の選択ボタンとを表示し、ユーザに顔画像データを合成して印刷して良いか否かを問い合わせる（Ｓ４３）。次に、「はい」が選択され、合成するよう指示を受け付けたと判断することに応じて（Ｓ４５：ＹＥＳ）、カメラ１９にユーザを撮影させ、生成した顔画像データを形成する（Ｓ４９）。次に、ステップＳ３５、Ｓ３７を実行する。一方、「いいえ」が選択され、合成しないよう指示を受け付けたと判断することに応じて（Ｓ４５：ＮＯ）、ユーザにログインするように促すメッセージを表示し（Ｓ４７）、ステップＳ２３へ戻る。
【００４８】
ここで、ステップＳ４５は承諾確認処理の一例であり、ステップＳ４７は登録督促処理の一例である。
【００４９】
以上、上記した第３実施形態によれば、ユーザは、ステップＳ４５により、自身がログイン状態でないと認識することができる。ユーザが登録ユーザである場合、顔画像データが合成された出力画像データを得ることもでき、ログイン状態としてから、顔画像データが合成されていない出力画像データを得ることもできる。
【００５０】
＜第４実施形態のＣｏｐｙ処理＞
次に、図７を用いて、第４実施形態に係るＣｏｐｙ処理について説明する。
制御部９０はステップＳ２３、Ｓ２５、Ｓ４９、Ｓ３５、Ｓ３７を第３実施形態と同様に実行する。次に、出力画像データを操作表示部１８に表示する（Ｓ５１）。次に、例えば「印刷して良いですか？」のメッセージとともに、「はい」「いいえ」の選択ボタンを表示する（Ｓ５３）。ユーザにより、「はい」の選択ボタンが選択されて表示した画像で印刷許可を受け付けたと判断することに応じて（Ｓ５５：ＹＥＳ）、ステップＳ２９へ進む。一方、ユーザにより、「いいえ」の選択ボタンが選択されて表示した画像を印刷しない指示を受け付けたと判断することに応じて（Ｓ５５：ＮＯ）、ステップＳ４７へ進む。
【００５１】
以上、上記した第４実施形態によれば、ユーザは出力画像データを操作表示部１８にて確認することができる。
【００５２】
＜第５実施形態のＣｏｐｙ処理＞
次に、図８を用いて、第５実施形態に係るＣｏｐｙ処理について説明する。
制御部９０はステップＳ２３、Ｓ２７を実行する。次に、画像読取部１４に載置された画像を読み取らせ、出力画像データを形成する（Ｓ２７）。次に、カメラ１９にユーザを撮影させ、生成した顔画像データを形成する（Ｓ４９）。次に、顔画像データをユーザＤＢ９５に記憶されているデータと照合する（Ｓ６１）。次に、顔画像データはユーザＤＢ９５に記憶されているデータと一致すると判断することに応じて（Ｓ６３：ＹＥＳ）、「合成する情報を選択して下さい」と、例えば「顔画像」「ユーザ名」などの選択ボタンとを操作表示部１８に表示する（Ｓ６５）。次に、識別情報を合成するか否かを判断し（Ｓ６７）、識別情報である例えば「ユーザ名」が選択され、識別情報を合成すると判断することに応じて（Ｓ６７：ＹＥＳ）、出力画像データに選択された識別情報を合成し（Ｓ６９）、ステップＳ２９へ進む。識別情報を合成しないと判断することに応じて（Ｓ６７：ＮＯ）、出力画像データに顔画像データを合成するか否かを判断する（Ｓ７１）。生体情報である「顔画像」が選択され、出力画像データに顔画像データを合成すると判断することに応じて（Ｓ７１：ＹＥＳ）、出力画像データに顔画像データを合成し（Ｓ７３）、ステップＳ２９へ進む。出力画像データに顔画像データを合成しないと判断することに応じて（Ｓ７１：ＮＯ）、ステップＳ２９へ進む。一方、顔画像データはユーザＤＢ９５に記憶されているデータと一致しないと判断することに応じて（Ｓ６３：ＮＯ）、ユーザは登録ユーザでないと判断されるので、出力画像データに顔画像データを合成し（Ｓ７５）、ステップＳ２９へ進む。
【００５３】
ここで、ステップＳ６３は判断処理の一例であり、ステップＳ６９およびステップＳ２９、および、ステップＳ７３およびステップＳ２９は第３出力処理の一例であり、ステップＳ６５、Ｓ６７、Ｓ７１は第１選択処理および第２選択処理の一例である。
【００５４】
以上、上記した第５実施形態によれば、以下の効果を奏する。
顔画像データあるいは識別情報が合成された出力画像データに基づいて出力したユーザを特定することができる。登録ユーザは識別情報または顔画像データが合成された出力画像データを得る事ができるため、出力画像データに自身が出力したデータであることを明示することができる。登録ユーザはカメラ１９が撮影した顔画像データではなく、予め確認しているユーザＤＢ９５に記憶されている顔画像データを合成することができる。登録ユーザはカメラ１９に顔画像を撮影されるだけで出力画像データを得ることができる。登録ユーザは顔画像データまたは識別情報を合成するか否かを選択し、顔画像データまたは識別情報の何れを合成するかを選択することができる。また、ユーザが登録ユーザであるにも係わらず、例えばカメラ１９で撮影された顔画像の顔の角度がユーザＤＢ９５に記憶されている顔画像を異なることなどにより、判断処理において、制御部９０が要求ユーザは登録ユーザでないと判断した場合であっても、登録ユーザは対象データを取り出すことができるため、利便性を高めることができる。
【００５５】
尚、本発明は前記実施形態に限定されるものではなく、本発明の趣旨を逸脱しない範囲内での種々の改良、変更が可能であることは言うまでもない。
上記では、図３に示すＣｏｐｙ処理において、制御部９０はステップＳ２５でＮＯと判断することに応じて、ステップＳ３３を実行すると説明したが、これに限定されず、例えば、ユーザが操作表示部１８により操作を開始したことに応じて、あるいは、ユーザが操作表示部１８の前など、接近したことに応じて、あるいは、ログイン要求をしたことに応じて、ステップＳ３３を実行する構成としても良い。尚、複合機１は例えば赤外線センサなどの検出器を備え、ユーザが操作表示部１８に接近したことを検出器により検出する構成とすると良い。
【００５６】
また、ログイン処理の変形例および第５実施形態において、カメラ１９により撮影された顔画像による所謂、顔認証について説明したが、その他の生体認証を用いる構成としても良い。その他の生体認証とは、例えば、声紋、指紋、静脈、光彩、網膜などを使用する認証方法である。この場合、複合機１は例示した生体情報を取得する生体情報取得部を備えるとともに、ユーザＤＢ９５は例示した生体情報を含む構成とすれば良い。また、複数の認証方法を実行可能な構成としても良い。この場合、ユーザＤＢ９５に含まれていない生体情報を取得した場合には、ユーザＤＢ９５に追加する構成としても良い。また、第２実施形態において、ＮＶＲＡＭ９４に記憶された、登録ユーザでないユーザを特定する情報は、ユーザが登録ユーザとなった場合には削除する構成としても良い。
【００５７】
また、ユーザＤＢ９５をＮＶＲＡＭ９４に記憶すると説明したが、ネットワークＩ／Ｆ１６を介して接続されるサーバに記憶する構成としても良い。また、ステップＳ５では、制御部９０が認証情報をユーザＤＢ９５の情報に照合すると説明したが、ユーザＤＢ９５を記憶するサーバに認証情報を送信し、サーバが照合し、ユーザが登録ユーザであるか否かの判断結果を制御部９０に送信し、制御部９０は送信された判断結果が、ユーザが登録ユーザであると示す場合に、ユーザが登録ユーザであると判断する構成としても良い。
【００５８】
また、図３に示すＣｏｐｙ処理のステップＳ３３において、生成した顔画像データが、ユーザを特定可能な程度、鮮明か否かを判断し、鮮明でない場合には、再度撮影するステップを追加する、あるいは、印刷を禁止するステップを追加する構成としても良い。
【００５９】
また、識別情報は、上記した他に、バーコード、２次元バーコードを含める構成としても良い。また、上記した情報のすべてではなく、一部を含む構成としても良い。
【００６０】
また、制御部９０がＣＰＵ９１を備える場合を例に説明したが、これに限定されるものではない。複数のＣＰＵを備えてもよいし、複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成されても良い。さらに、ＣＰＵとＡＳＩＣとの任意の組み合わせによって構成されても良い。
【００６１】
また、実施形態では、複合機１を例に説明したが、これに限定されるものではない。印刷機能、コピー機能、スキャナ機能、ＦＡＸ機能の少なくとも１つを備える装置でも良い。
【符号の説明】
【００６２】
１    複合機
９０    制御部
９４    ＮＶＲＡＭ
９５    ユーザデータベース
１２    画像形成部
１４    画像読取部
１８    操作表示部
１９    カメラ
２０    受付部
【図１】
0006589573.tif 000002
【図２】
0006589573.tif 000003
【図３】
0006589573.tif 000004
【図４】
0006589573.tif 000005
【図５】
0006589573.tif 000006
【図６】
0006589573.tif 000007
【図７】
0006589573.tif 000008
【図８】
0006589573.tif 000009